(57)【要約】【課題】頭部を載せたとき安定して頭部を固定することができ、頭部の重みで変形することのない窪み部が設けられ、寝返りなどをしても枕がずれ動いたりせず、快適な睡眠を確実にとることのできる枕の提供を目的とする。【解決手段】枕袋体の内部に粒状の充填物が充填されているとともに、頭部を嵌合させるための窪み部が設けられている枕において、前記窪み部が、枕袋体を構成する表側生地と裏側生地との間にスポンジを介在させて、横長の板状に形成されていることを特徴とする構成とした。【選択図】      図１
2004275559.tif 000002
【特許請求の範囲】
【請求項１】
枕袋体の内部に粒状の充填物が充填されているとともに、頭部を嵌合させるための窪み部が設けられている枕において、
前記窪み部が、枕袋体を構成する表側生地と裏側生地との間にスポンジを介在させて、横長の板状に形成されていることを特徴とする枕。
【請求項２】
窪み部が、枕の中央位置よりも前後方向のいずれかに偏寄して設けられている請求項１に記載の枕。
【発明の詳細な説明】
【０００１】
【発明の属する技術分野】
本発明は、就寝時などに頭部を載せて使用する枕に関する。
【０００２】
【従来の技術】
従来、枕は、枕袋体の内部に、そば殻、羽毛、合成樹脂製の粒状物やパイプ体などの充填物が充填されることにより形成されていた。
しかし、従来の枕は、頭部を載せることだけを目的として作られていたため、枕に載せた頭部が安定せず、寝返りなどにより頭部が枕から外れてしまうことがあり、また、頭部の重みや寝返りを打つときの顔の向きにより、枕袋体内の充填物が移動することで枕の上面形状が変形して、いわゆる枕の型崩れ現象が起き、却って寝心地が悪くなり、安眠できなくなるばかりか寝違いを生じさせるおそれもあった。
【０００３】
そこで、本発明者は、登録実用新案公報第３０５９３３８号で、長方形の袋体をなした横巾の左右端部から凡そ１／４箇所にそれぞれ４ｃｍ〜１０ｃｍ範囲に縦方向ミシン縫い線と、該縦方向ミシン縫い線間に縦巾の凡そ１／２箇所に７ｃｍ〜１２ｃｍ程度の横方向ミシン縫い線があるように上面布地と下面布地を縫着し、芯材の填入で内部へＨ状の凹みを形成させ、その外方が凸状に膨れているふくれ部となっている枕を提案している。
【０００４】
【発明が解決しようとする課題】
上述した登録実用新案公報第３０５９３３８号で提案した枕は、安価に製造することができ、しかも、枕の中央が凹んでいるため、従来の枕に比べて、頭部を安定させた状態で載せることができる点で優れているが、この枕で形成されている凹みは、上面布地と下面布地とを直接縫着することにより形成されているため、頭部を載せたとき、凹み部分が変形したり、縫着部分を中心に枕が折れ曲がってしまったりするおそれがあり、頭部を載せたときの安定性に不満が残ることがあった。
【０００５】
また、上述した枕では、枕内に粒状物が充填されている場合、頭部を載せた状態で寝返りをすると、粒状物が枕袋内で移動して寝心地が悪くなってしまったり、枕が頭部の届かない位置まで動いてしまったりするおそれがある。
しかも、人により頭部の大きさや形状が異なるため、凹み部分が設けられたとしても、人によっては後頭部が凹み部分にきっちりと嵌まり込まない場合もある。
【０００６】
上述したように、安定して頭部を載せることのできない枕では、寝つきが悪くなってしまったり、たとえ、眠ることができたとしても、睡眠が浅くなり悪夢にうなされたりするおそれがある。このようなことから、より安定して頭部を保持固定することができ、快適に睡眠をとることができる枕が求められていた。
【０００７】
そこで、本発明は、上記問題を鑑みて、頭部を載せたとき安定して頭部を固定することができ、頭部の重みで変形することのない窪み部が設けられ、寝返りなどをしても枕がずれ動いたりせず、快適な睡眠を確実にとることのできる枕の提供を目的としてなされた。
【０００８】
【課題を解決するための手段】
このような目的を達成するために、本発明の請求項１にかかる枕（以下、「請求項１の枕」とのみ記す。）は、枕袋体の内部に粒状の充填物が充填されているとともに、頭部を嵌合させるための窪み部が設けられている枕において、前記窪み部が、枕袋体を構成する表側生地と裏側生地との間にスポンジを介在させて、横長の板状に形成されていることを特徴とする構成とした。
【０００９】
また、本発明の請求項２にかかる枕（以下、「請求項２の枕」とのみ記す。）は、請求項１の枕の構成に加えて、窪み部が、枕の中央位置よりも前後方向のいずれかに偏寄して設けられている構成とした。
【００１０】
上記構成において、粒状の充填物としては、特に限定されないが、たとえば、そば殻などの天然物や、合成樹脂で粒状に成形した物などが挙げられる。なお、本発明において、粒状とは、いわゆる小さな球状の塊に限らず、中空の球状やパイプ状など特定の形状に成形されたものも含む。
合成樹脂成形物を使用するときは、樹脂材料に、たとえば、カテキン、ひのき、ラベンダー、オレンジリモネンなどの芳香成分をマイクロカプセルの形で練りこんだ後に成形を行うようにすると、枕を使用することでアロマテラピー効果を同時に期待することができるようになるため好ましい。
【００１１】
また、窪み部は、板状に形成されているとともに、内部にスポンジを介在させてクッション性を有しているのであれば、大きさや形状は特に限定されないが、一般的な大きさ（縦３０〜５０ｃｍ×横４０〜７０ｃｍ程度の大きさ）をしている枕であれば、窪み部を設ける位置を、枕の中央位置ではなく、請求項２の枕のように、前後方向のいずれかに偏寄して設けるようにすると、枕の山の高さの大きい部分と小さい部分とが形成されることとなるため、頭部の大きさが異なる各人が収まりよく頭部を載せることが可能となるため好ましい。
【００１２】
【発明の実施の形態】
以下に、本発明の実施の形態を、図面を参照しつつ詳しく説明する。
図１は、本発明にかかる枕一実施の形態を示した斜視図である。
図１および図４に示したように枕１は、枕袋体２の内部にパイプ状の充填物４が充填されているとともに、頭部Ｔを嵌合させるための窪み部３が形成されている。
【００１３】
枕袋体２は、メッシュ状の生地からなる表側生地２１と裏側生地２２との周縁部分および窪み部３が形成されている部分が縫製されてなる略ドーナツ形状をした袋体であり、内部に充填物４が充填されることで枕１が形成されるようになっている。
【００１４】
窪み部３は、図３及び図４に示したように、単独発泡の樹脂成形体からなるスポンジ５が、枕袋体２の表側生地２１と裏側生地２２とにより上下から押圧された状態で縫着固定されることで、１〜３ｃｍの厚みをした板状に形成されている。
また、窪み部３は、図２に示したように、枕１の中央位置よりも前方向（頭部Ｔを載せている者の首筋側の方向）に偏寄させた位置に設けられている。
したがって、枕１は、窪み部３によって、図２に示したように、山の高さが低く巾が狭いＡ部分と、山の高さが高く巾が広いＢ部分とが形成されることとなる。
【００１５】
充填物４は、図４に示したように、内径３〜５ｍｍ、肉厚０．５ｍｍ程度、長さ５ｍｍ〜８ｍｍの円形の低密度ポリエチレン樹脂製の小型パイプからなり、樹脂内部にカテキン成分が練りこまれている。
カテキン成分は、茶葉を数十ミクロン程度の微粒子粉末となるように粉砕したものを低密度ポリエチレン樹脂材料に混ぜ合わせ、その後、押出成形によりパイプ状の充填物４を成形することにより、充填物４内に含有させている。
【００１６】
以上のような構成をしている枕１は、図２に示したように、窪み部３が、板状に形成され、しかも内部にスポンジが介在している構成をしているため、非常に窪み部３が確りとした作りとなっている。
したがって、頭部Ｔを載せても、窪み部３が潰れたり、変形したりすることがなく、却って、布団との接触部分においては、窪み部３の裏面側が広がって吸盤のように布団に吸い付くようになることで、枕１が布団上を動きにくくなるため、寝返りなどをすることで、枕がずれ動いて頭部Ｔの届かない位置まで移動してしまうということが起こりにくくなる。
【００１７】
また、枕１は、窪み部３が、枕１の中央位置よりも前後方向に偏寄して設けられているため、窪み部３の前後に形成される山の大きさが異なる。したがって、頭部の大きさの異なる者が使用する際、図２に示したＡ部分に頭部を載せたときに収まりが悪ければ、Ｂ部分に頭部を載せるようにすることで、安定した状態で頭部を載せることが可能となる。
【００１８】
しかも、枕１は、上述したように頭部Ｔが枕上面に密着した状態となるため、頭部Ｔを載せたとき、頭部Ｔの重みに対して枕内の充填物４が反撥することで、丁度、後頭部の「天柱」や「風府」のつぼを刺激することとなり、疲労回復、血圧安定、頭痛や倦怠感の回復などを図ることもできるため、より快適な睡眠を図ることが可能となるのである。
【００１９】
加えて、枕１は、充填物４が、カテキンエキスを含んでいるため、抗菌効果を発揮して衛生的であるとともに、カテキンの芳香成分のリラックス効果を発揮することもできる。
【００２０】
なお、本発明にかかる枕は、上記実施の形態に限定されない。
たとえば、枕１は、充填物４がカテキンエキスを含んでいたが、これに代えて、ヒノキ成分、ラベンダー成分、オレンジリモネン成分などの生理活性物質を含ませるようにしても良い。
【００２１】
【発明の効果】
本発明にかかる請求項１の枕は、頭部を載せたとき安定して頭部を固定することができ、頭部の重みで変形することのない窪み部が設けられ、寝返りなどをしても枕がずれ動いたりせず、従来、眠りが浅く悪夢にうなされていたような者まで、快適な睡眠が可能となる。
【００２２】
請求項２の枕は、請求項１の枕の効果に加えて、窪み部が枕の中央位置よりも前後方向のいずれかに偏寄して設けられているため、後頭部の大きさの異なる者でも、窪み部が偏寄している側または窪み部が偏寄している反対側から頭部を載せるようにすることで、安定して頭部を載せることができる。
【図面の簡単な説明】
【図１】本発明にかかる枕の１実施形態を示した斜視図である。
【図２】図１の枕を使用してねている状態を示した側方視断面図である。
【図３】図１に示した枕の上面図である。
【図４】図１に示した枕の窪み部分の断面を拡大した図である。
【符号の説明】
１        枕
２        枕袋体
２１      表側生地
２２      裏側生地
３        窪み部
４        充填物
５        スポンジ
【図１】
2004275559.tif 000003
【図２】
2004275559.tif 000004
【図３】
2004275559.tif 000005
【図４】
2004275559.tif 000006